(57)【要約】【課題】本発明は、工具用バッテリの容量を増加させる場合に、セル群のサイズが大幅に増加しないようにするとともに、製作コストを抑えることを目的とする。【解決手段】本発明に係る工具用バッテリは、電動工具本体のバッテリ連結部に対して一定方向にスライドさせられることにより連結される構成の工具用バッテリであって、バッテリハウジング３２内に収納された複数本の柱状のセルＳを備えており、セルＳの長さ寸法が75mm以上に設定されている。【選択図】図１
2011222171.tif 000002
【特許請求の範囲】
【請求項１】
電動工具本体のバッテリ連結部に対して一定方向にスライドさせられることにより連結される構成の工具用バッテリであって、
バッテリハウジング内に収納された複数本の柱状のセルを備えており、
前記セルの長さ寸法が75mm以上に設定されていることを特徴とする工具用バッテリ。
【請求項２】
請求項１に記載された工具用バッテリであって、
前記セルの軸方向が前記バッテリハウジングのスライド方向と一致し、かつ各々の前記セルが同軸にならないように、横方向、及び上下方向に並べられた状態で、前記バッテリハウジング内に収納されていることを特徴とする工具用バッテリ。
【請求項３】
請求項１に記載された工具用バッテリであって、
前記電動工具本体は、ネジ締め工具であり、
前記セルの軸方向が前記ネジ締め工具の軸方向と一致し、かつ各々の前記セルが同軸にならないように、横方向、及び上下方向に並べられた状態で、前記バッテリハウジング内に収納されていることを特徴とする工具用バッテリ。
【請求項４】
請求項２又は請求項３のいずれかに記載された工具用バッテリであって、
前記セルは、直径約18mmの円柱形で、長さ寸法が90mm以下に設定されていることを特徴とする工具用バッテリ。
【請求項５】
請求項２又は請求項３のいずれかに記載された工具用バッテリであって、
横方向に並べられた各セルの幅寸法の総和が65mmよりも小さいことを特徴とする工具用バッテリ。
【請求項６】
請求項２又は請求項３のいずれかに記載された工具用バッテリであって、
前記セルの長さ寸法が130mmから140mmの間に設定されていることを特徴とする工具用バッテリ。
【発明の詳細な説明】
【技術分野】
【０００１】
本発明は、電動工具本体のバッテリ連結部に対して一定方向にスライドさせられることにより連結される構成の工具用バッテリに関する。
【背景技術】
【０００２】
これに関連する工具用バッテリが特許文献１に記載されている。
特許文献１に記載の工具用バッテリは、電動工具本体のバッテリ連結部に対して嵌合状態で一定方向にスライドさせられることにより、その電動工具本体に連結される構成である。
前記工具用バッテリは、3.6Vの円柱形をしたセルを5本直列に接続した18Vバッテリであり、各々のセルの軸心が工具用バッテリのスライド方向に対して直角（横向き）になるように配置されている。ここで、前記セルの標準的なサイズは、特許文献２に示すように、径寸法が18mm、長さ寸法が65mmに設定されている。したがって、前記工具用バッテリのセル集合体（セル群）の縦横サイズは、縦（スライド方向）90mm（18mm×5本）、横（幅方向）（65mm）となる。この工具用バッテリに対して市場では、さらなる容量アップが望まれている。
工具用バッテリの容量アップの方法として、特許文献３に示すように、前記セルを2本並列にして、その並列のセルを5組直列に接続する技術が開示されている。これにより、工具用バッテリの容量が2倍になる。
【先行技術文献】
【特許文献】
【０００３】
【特許文献１】特開２００８−０１０３１５号公報
【特許文献２】特開２００６−３０２７５９号公報
【特許文献３】特開２００３−１４２０５１号公報
【発明の概要】
【発明が解決しようとする課題】
【０００４】
しかし、セルを2本並列にして、その並列のセルを5組直列に接続する方法では、工具用バッテリのセル群のサイズが増大するとともに、重量が2倍になるため、工具用バッテリの取り扱い性が低下する。市場では、工具用バッテリの容量を2倍まで増加させる必要はないが、工具用バッテリのサイズ、及び重量を極力抑えたいという要望がある。
このため、セルの本数を2倍にする以外の方法で工具用バッテリの容量を増加させる方法としてセルの径寸法を大きくすることが考えられる。しかし、この方法では、セルの生産設備を改造する必要があるとともに、セルの端子類も新たに製作する必要があり、コストアップになる。
【０００５】
本発明は、上記問題点を解決するためになされたものであり、本発明が解決しようとする課題は、工具用バッテリの容量を増加させる場合に、セル群のサイズが大幅に増加しないようにするとともに、コストを抑えられるようにすることである。
【課題を解決するための手段】
【０００６】
上記した課題は、各請求項の発明によって解決される。
請求項１の発明は、電動工具本体のバッテリ連結部に対して一定方向にスライドさせられることにより連結される構成の工具用バッテリであって、バッテリハウジング内に収納された複数本の柱状のセルを備えており、前記セルの長さ寸法が75mm以上に設定されていることを特徴とする。
【０００７】
本発明によると、セルの長さ寸法が75mm以上に設定されており、個々のセルの容量を標準的なセル（以下、標準セル（長さ寸法が65mm））の容量よりも大きくできる。このため、工具用バッテリの容量を増加させる場合に、標準セルを使用している一般的な工具用バッテリにおいてセルの本数を増やさなければならない場合でも、セルの本数はそのままで容量をアップすることが可能になる。
さらに、セルの長さ寸法を増加させるだけなので、セルの生産設備の修正も少なく、端子類も新たに製作する必要がないため、コストを抑えることができる。
このため、工具用バッテリの容量をアップする場合でもバッテリハウジングがさほど大型化せず、経済的に工具用バッテリの容量をアップできる。
【０００８】
請求項２の発明によると、セルの軸方向が前記バッテリハウジングのスライド方向と一致し、かつ各々の前記セルが同軸にならないように、横方向、及び上下方向に並べられた状態で、前記バッテリハウジング内に収納されていることを特徴とする。
このため、工具用バッテリの容量増加を目的にしてセルの長さ寸法を増加させると、バッテリハウジングはスライド方向に長くなる。工具用バッテリのスライド方向は、工具用バッテリを電動工具本体に対してスライド挿入させるためのスペースが設けられているため、もともと余裕があり、バッテリハウジングがスライド方向に長くなっても電動工具の取り扱い性が低下することがない。
【０００９】
請求項３の発明によると、電動工具本体は、ネジ締め工具であり、セルの軸方向が前記ネジ締め工具の軸方向と一致し、かつ各々の前記セルが同軸にならないように、横方向、及び上下方向に並べられた状態で、前記バッテリハウジング内に収納されていることを特徴とする。
このため、バッテリハウジングがネジ締め工具の軸方向（前後方向）に長くなる。ここで、ネジ締め工具の場合、軸方向に先端工具部が突出しているため、工具用バッテリがネジ締め工具の軸方向に長くなっても、ネジ締め工具の取り扱い性が低下することがない。
【００１０】
請求項４の発明によると、セルは、直径約18mmの円柱形で、長さ寸法が90mm以下に設定されていることを特徴とする。
工具用バッテリでは、市場で主流である縦（スライド方向）90mm（18mm×5本）、横（幅方向）65mmのセル群を基準にし、その寸法を超えない範囲で容量アップを行うことが望ましい。
本発明では、セルの長さ寸法が90mm以下に設定されているため、市場で主流である工具用バッテリのスライド方向長を超えることがない。
【００１１】
請求項５の発明によると、横方向に並べられた各セルの幅寸法の総和が65mmよりも小さいことを特徴とする。
本発明では、横方向に並べられた各セルの幅寸法の総和が65mmよりも小さいため、市場で主流である前記工具用バッテリ、即ち、スライド方向90mm×幅方向65mmのセル群を有する工具用バッテリの幅寸法を超えることがない。
【００１２】
請求項６の発明によると、セルの長さ寸法が130mmから140mmの間に設定されていることを特徴とする。
このため、特開2007-109650号公報に記載されているように、セルを軸方向に2本並べる構成と比較して、セルの接続部分の電極部品を省略できる分だけ容量アップを図ることができる。さらに、コスト低減を図ることができる。
【発明の効果】
【００１３】
本発明によると、工具用バッテリの容量を増加させる場合に、セル群のサイズが大幅に増加することがない。さらに、コストを抑えることができる。
【図面の簡単な説明】
【００１４】
【図１】本発明の実施形態１に係る工具用バッテリのバッテリハウジングを開放した状態を表す斜視図（Ａ図）、バッテリハウジング内のセルの配置を表す斜視図（Ｂ図）である。
【図２】前記工具用バッテリの全体斜視図である。
【図３】前記工具用バッテリを備える電動工具の全体斜視図である。
【図４】電動工具本体と工具用バッテリとを連結する状態を表す斜視図である。
【発明を実施するための形態】
【００１５】
［実施形態１］
以下、図１から図４に基づいて本発明の実施形態１に係る工具用バッテリについて説明する。
なお、図中に記載された前後左右及び上下は、工具用バッテリを備える電動工具の前後左右及び上下に対応している。
【００１６】
＜電動工具の概要について＞
先ず、工具用バッテリ３０について説明する前に、図３、図４に基づいて、その工具用バッテリ３０を備える電動工具１０について簡単に説明する。
電動工具１０はネジ締め工具であり、電動工具本体２０と工具用バッテリ３０とから構成されている。電動工具本体２０は、筒状のハウジング部２１と、そのハウジング部２１の下面側から下方に突出するように形成されたグリップ部２２とを備えている。そして、前記グリップ部２２の上端位置（基端部）に、トリガ形式のスイッチレバー２３が設けられている。また、グリップ部２２の下端部（先端部）には、工具用バッテリ３０が連結されるバッテリ連結部２６が設けられている。バッテリ連結部２６は、工具用バッテリ３０が前から後に相対スライドすることで、電動工具本体２０に連結されるように構成されている。
電動工具本体２０のハウジング部２１には、駆動源であるモータ（図示省略）と、前記モータの回転力を受けて工具を回転させる工具回転機構（図示省略）とが同軸に収納されている。そして、前記ハウジング部２１の先端から突出した前記工具回転機構の出力軸にドライバビットやソケットビット等（図示省略）を装着するためのチャック部２５が設けられている。
即ち、電動工具本体２０の軸方向が電動工具本体２０の前後方向と一致しており、さらに工具用バッテリ３０のスライド方向とも一致している。
【００１７】
＜工具用バッテリ３０について＞
工具用バッテリ３０は、図１、図２に示すように、複数本（図２では5本）の蓄電池Ｓ（以下、セルＳという）を収納する上部開放型のハウジング本体部３２と、そのハウジング本体部３２の開口を塞ぐ蓋部３４とを備えている。ハウジング本体部３２と蓋部３４とは平面略角形に形成されており、そのハウジング本体部３２に対して蓋部３４が周囲４箇所でネジ止め可能に構成されている。即ち、ハウジング本体部３２と蓋部３４とが本発明のバッテリハウジングに相当する。
前記工具用バッテリ３０の蓋部３４の上面には、図２に示すように、その左右両側に電動工具本体２０のバッテリ連結部２６との連結に使用されるスライドレール３６が前後方向に延びるように形成されている。左右のスライドレール３６は、レール本体部３６ｍと、そのレール本体部３６ｍの上側面から幅方向外側に一定寸法だけ突出する横方向突条部３６ｔとから構成されている。また、左右のスライドレール３６の後端位置には、ストッパ部３６ｕが形成されている。
【００１８】
蓋部３４の上面前部には、左右のスライドレール３６の間に、電動工具本体２０の板状のターミナル（図示省略）がそれぞれ前方から挿入可能に構成された左右一対の案内スリット３７が前記スライドレール３６と平行に形成されている。そして、左右の案内スリット３７の内部に工具用バッテリ３０の正電極、負電極が設置されている。また、左右の案内スリット３７の間には、開口部３４ｘが形成されており、その開口部３４ｘから工具用バッテリ３０の制御回路の出力コネクタ３３が後方（図４参照）を指向した状態で突出している。
【００１９】
工具用バッテリ３０を電動工具本体２０に連結させるには、図４に示すように、電動工具本体２０のバッテリ連結部２６の左右内側に形成された角溝（図示省略）の端部に対して工具用バッテリ３０の左右に形成された横方向突条部３６ｔの端部を嵌合させる。次に、前記嵌合状態を保持した状態で工具用バッテリ３０を電動工具本体２０に対して後方にスライドさせる。これにより、電動工具本体２０と工具用バッテリ３０とが機械的に連結されるとともに、電動工具本体２０の左右のターミナル（図示省略）等が工具用バッテリ３０の正電極、負電極等にそれぞれ電気的に接続される。
【００２０】
＜工具用バッテリ３０のセルＳについて＞
セルＳは、図１等に示すように、円柱形に形成されたリチウムイオン蓄電池であり、一端側にプラス電極Ｓｐ、他端側にマイナス電極Ｓｎが設けられている。また、セルＳの直径は、標準セルの直径と等しい18mmに設定されており、セルＳの長さ寸法は90mm以下に設定されている。これにより、一本のセルＳで2Ａ（アンペア）の電流を約１時間流すことが可能になる（容量＝2Ａｈ）。
工具用バッテリ３０のハウジング本体部３２内には、図１に示すように、5本のセルＳが二段積みの状態で収納されている。即ち、上段に3本のセルＳが互いの端部を一致させた状態で平行に配置されており、下段に2本のセルＳが同じく互いの端部を一致させた状態で平行に配置されている。そして、上段のセルＳとセルＳとの接触位置が下段のセルＳの軸心位置に重なり、上段のセルＳの軸心位置が下段のセルＳとセルＳとの接触位置に重なるように、各々のセルＳが位置決めされている。これにより、5本のセルＳを二段積みした状態でセルＳの高さ寸法を最小にできる。
【００２１】
また、各々のセルＳは、それらのセルＳの軸方向が工具用バッテリ３０のスライド方向（電動工具本体２０の前後方向）と一致するように、ハウジング本体部３２内に収納されている。即ち、セル集合体（セル群）のサイズは、スライド方向の長さ寸法が90mm以下、幅寸法が18mm×3本＝54mmとなる。
このため、ハウジング本体部３２の長さ寸法（前後寸法）は、標準セル（直径18mm）を横向きにして、前後方向に5個並べて配置する場合のバッテリハウジングの長さ寸法を超えることがない。また、ハウジング本体部３２の幅寸法（左右寸法）は、セルＳ（直径18mm）を3本横並びさせることができる寸法があればよくなる。即ち、ハウジング本体部３２の幅寸法（左右寸法）は、標準セル（長さ寸法65mm）を横向きにして、前後方向に並べて配置する場合のバッテリハウジングの幅寸法よりも小さくなる。
【００２２】
＜本実施形態に係る工具用バッテリ３０の長所について＞
本実施形態に係る工具用バッテリ３０によると、セルＳの長さ寸法が90mm以下（75mm以上）に設定されており、個々のセルＳの容量を標準的なセル（以下、標準セル（長さ寸法が65mm））の容量よりもよりも大きくできる。このため、工具用バッテリの容量を増加させる場合に、標準セルを使用している一般的な工具用バッテリにおいてセルの本数を増やさなければならない場合でも、セルの本数はそのままで容量をアップすることが可能になる。
さらに、セルＳの長さ寸法を増加させるだけなので、セルＳの生産設備の修正も少なく、端子類も新たに製作する必要がないため、コストを抑えることができる。
このため、工具用バッテリ３０の容量をアップする場合でもハウジング本体部３２（バッテリハウジング）がさほど大型化せず、経済的に工具用バッテリ３０の容量をアップできる。
また、工具用バッテリ３０では、セルＳの軸方向がハウジング本体部３２のスライド方向（電動工具本体２０の前後方向）と一致し、かつ各々のセルＳが同軸にならないように、横方向、及び上下方向に並べられた状態で、前記バッテリハウジング内に収納されている。このため、工具用バッテリ３０の容量増加を目的としてセルＳの長さ寸法を標準寸法（65mm）から増加させた場合に、ハウジング本体部３２は電動工具本体２０の前後方向に長くなる。このため、ハウジング本体部３２が幅方向に長くなる場合と比較して、工具用バッテリ３０を電動工具本体２０に取付けた状態で電動工具１０の取り扱い性が向上するようになる。
また、工具用バッテリ３０では、市場で主流であるスライド方向の長さ寸法が90mm（18mm×5本）、幅寸法が65mmのセル群を基準にし、その寸法を超えない範囲で容量アップを行うことが望ましい。
本実施形態の工具用バッテリ３０では、セル群のスライド方向の長さ寸法が90mm以下、幅寸法が18mm×3本＝54mmであるため、市場で主流である工具用バッテリよりコンパクトにできる。
【００２３】
＜変更例＞
ここで、本発明は上記実施形態に限定されるものではなく、本発明の要旨を逸脱しない範囲における変更が可能である。例えば、本実施形態では、セルＳを直径18mm、長さ寸法90mm以下で製作する例を示したが、セルＳを直径18mm、長さ寸法130mmから140mmの間で製作することも可能である。このように、一本のセルＳの長さ寸法を、例えば、標準セルの二本分とすることで、標準セル（18mm×65mm）を二本使用する場合よりも端子の接続部分等を省略できる分だけ容量アップを図ることができる。
また、本実施形態では、セルＳの直径を18mmに設定する例を示したが、セルＳの直径を単三電池と等しい14mmに設定することも可能であるし、単四電池と等しい10.3mmに設定することも可能である。
また、本実施形態では、工具用バッテリ３０のスライド方向と電動工具本体２０（ネジ締め工具）の軸方向とが一致する場合を例示した。しかし、仮に、工具用バッテリ３０のスライド方向とネジ締め工具の軸方向とが一致しない場合には、セルＳの軸方向がネジ締め工具の軸方向とが一致するようにセルＳの配置を変更することも可能である。
【符号の説明】
【００２４】
２０   電動工具本体
２６   バッテリ連結部
３０   工具用バッテリ
３２   ハウジング本体部（バッテリハウジング）
３４   蓋部（バッテリハウジング）
Ｓ     蓄電池
【図１】
2011222171.tif 000003
【図２】
2011222171.tif 000004
【図３】
2011222171.tif 000005
【図４】
2011222171.tif 000006